(57)【要約】【課題】球払出装置をスライドさせて球抜き開口部を開口させる際、当該球払出装置のスライド動作に全ての球抜き動作を関連付けさせることにより、球抜き操作をワンタッチで、しかも正確に実行できるようにした球払出機の球抜き装置を提供することを目的とする。【解決手段】スライド操作部の操作によって球払出装置がスライドし、該球払出装置のスライド動作に連動して球抜きガイドレバーを球抜きガイド位置へと移動させることができる。また、球払出装置がスライドする動きに応じたタイミングで球抜きガイドレバーを球抜きガイド位置に導く球抜きガイドレールを備えた球払出機の球抜き装置であることを特徴とする。【選択図】図８
2008022981.tif 000002
【特許請求の範囲】
【請求項１】
多数個の球を貯留する貯留タンクと、
前記貯留タンクに貯留されている球を自重により傾斜方向に転動させる傾斜通路を有し、その傾斜通路上を転動する球を直列に整列させる整列部と、
前記整列部に整列された球を回転体の回転送り操作により下流に払出す球払出装置とを、同一傾斜通路上の傾斜方向に直線的に連設させてなる球払出機であって、
前記球払出装置を前記同一傾斜通路上の傾斜方向に沿って上流側から下流側にスライドさせるスライド機構と、
前記スライド機構を介して前記球払出装置をスライドさせることに基づいて、該球払出装置と対応する傾斜通路の底面と、その上流側の傾斜通路の底面との間に、球抜き開口部を開口させるスライド操作部と、
前記スライド操作部の操作に基づき、スライドした前記球払出装置のスライドする動きに連動して前記球抜き開口部の球抜きガイド位置へと移動する球抜きガイドレバーと、
前記球抜きガイドレバーが前記球払出装置のスライドする動きに連動して球抜き待機位置から球抜きガイド位置へと移動するのを摺動させてガイドし、且つ前記球払出装置のスライドする動きに連動して開口される球抜き開口部の開口タイミングに、該球抜きガイドレバーが球抜き開口部の球抜きガイド位置へと移動する移動タイミングを一致させる球抜きガイドレールと、
を備えた球払出機の球抜き装置。
【請求項２】
前記球抜きガイドレールは、傾斜通路の凹溝内を並列通路に仕切る仕切板の上面に形成した
請求項１記載の球払出機の球抜き装置。
【請求項３】
前記球抜きガイドレールは、傾斜通路の傾斜方向に沿う側壁に形成した
請求項１記載の球払出機の球抜き装置。
【発明の詳細な説明】
【技術分野】
【０００１】
この発明は、例えばパチンコ機の入賞球の払出しや貸球装置の貸球の払出しに用いられる球払出機に関し、さらに詳しくは貯留タンクに貯留されている多数の貯留球をワンタッチで効率よく回収処理する球払出機の球抜き装置に関する。
【背景技術】
【０００２】
以下、パチンコ機を例にとって説明する。一般に、パチンコ機は、パチンコ球(以下、球と称す)を遊技媒体として、パチンコ台の背面側からパチンコ台の前面側に球を供給している。この球の供給に際して、パチンコ機の背面側上部に多数個の球を貯留する貯留タンク(景品球タンク)を設置し、この貯留タンクへは上方の補給機構から球を補給させて貯留し、払出要請に応じて貯留した球を下方に払出すようにしている。この球の払出し時に、貯留タンクから球を整列させる球整列装置を介して、貯留タンクに貯留した球を球払出装置(入賞球処理装置)に導き、ここで払出し指令された球数を払出し、パチンコ機の前面の上皿または下皿に払出している。
【０００３】
ところで、パチンコ機には球払出し動作とは別に、特許文献１及び特許文献２に開示されているように貯留タンクに貯留されている球を一気に球抜き(回収)させて貯留タンク内を空にする球抜き装置が備えられている。この種の球抜きの目的は、パチンコ機の出荷検査時、遊技ホール内でのパチンコ機の移動、もしくはパチンコ機を廃棄するなどのために備えられている。
【０００４】
通常、このような球抜き装置の球抜き動作は、貯留タンクと球払出装置との間を結ぶ緩やかな傾斜通路間において実施され、球の流れる方向が傾斜方向から真下の垂直方向へと方向変換させ、球を落下させて回収するように通路底面を開放させて球抜きしている。
【０００５】
この通路底面の開放手段として、例えば先行出願の特許文献３に開示されているように、球払出装置を下流側に変位（例えばスライド）させることに連動して、該球払出装置の通路底面と、その上流側の通路底面との間に、下方の球抜き通路に連通する球抜き開口部を開口する球抜き構造が知られている。これにより、通路底面を開口するだけで球は自重によって転動し下方の球抜き通路へと導かれる。
【０００６】
しかし、球抜き開始時には、上流側から流下してきた球を球払出装置側から回収通路側へと切換えて供給できるように、係員が手で球通過規制レバーを動かして、球払出装置の直前で通路を切換える必要がある。また、傾斜通路に球が直列に並んでいる整列状態の所へ球通過規制レバーの先端を割り込ませるため、該球通過規制レバーの先端が連続的に並んでいる球に接触するおそれがある。該レバーの先端が球に接触して球と球との間に介入できない場合は割り込み不可となり、球抜き用の回収通路を形成できなくなる。このようなことを考慮して、球抜き操作時には係員が手作業により球と球との間に、レバー介入空間を作ってから球通過規制レバーを割り込ませたり、完全に切換えられたことを確認するなど係員による通路の切換え操作に手間がかかっていた。
【０００７】
また、球抜き終了後は、係員の手動操作によって、先に球通過規制レバーを元の待機位置に戻し、通過規制を解除した後、球払出装置を係員によって元の待機位置に戻していた。この場合、係員が球通過規制レバーの復帰操作と、球払出装置の復帰操作との元に戻す順番を間違えると、球詰りや破損及び故障の原因になってしまう。このため、球抜き操作をする場合は、切換に手間のかかる係員作業と、正確な操作順序とを必要として係員作業の負担が大きく、効率の良い球抜き操作ができない問題を有していた。
【０００８】
【特許文献１】特開平１１−９０００８号公報。
【特許文献２】特開２００２−２００２８９号公報。
【特許文献３】特開２００５−２２４３５０号公報。
【発明の開示】
【発明が解決しようとする課題】
【０００９】
そこでこの発明は、球払出機からの球抜きに際して、球払出装置のスライド動作に全ての球抜き動作を連動させることにより、球抜き操作をワンタッチで効率よく実行させることができる球払出機の球抜き装置を提供することを目的とする。
【課題を解決するための手段】
【００１０】
この発明は、多数個の球を貯留する貯留タンクと、前記貯留タンクに貯留されている球を自重により傾斜方向に転動させる傾斜通路を有し、その傾斜通路上を転動する球を直列に整列させる整列部と、前記整列部に整列された球を回転体の回転送り操作により下流に払出す球払出装置とを、同一傾斜通路上の傾斜方向に直線的に連設させてなる球払出機であって、前記球払出装置を前記同一傾斜通路上の傾斜方向に沿って上流側から下流側にスライドさせるスライド機構と、前記スライド機構を介して前記球払出装置をスライドさせることに基づいて、該球払出装置と対応する傾斜通路の底面と、その上流側の傾斜通路の底面との間に、球抜き開口部を開口させるスライド操作部と、前記スライド操作部の操作に基づき、スライドした前記球払出装置のスライドする動きに連動して前記球抜き開口部の球抜きガイド位置へと移動する球抜きガイドレバーと、前記球抜きガイドレバーが前記球払出装置のスライドする動きに連動して球抜き待機位置から球抜きガイド位置へと移動するのを摺動させてガイドし、且つ前記球払出装置のスライドする動きに連動して開口される球抜き開口部の開口タイミングに、該球抜きガイドレバーが球抜き開口部の球抜きガイド位置へと移動する移動タイミングを一致させる球抜きガイドレールとを備えた球払出機の球抜き装置であることを特徴とする。
【００１１】
この発明の態様として、前記球抜きガイドレールは、傾斜通路の凹溝内を並列通路に仕切る仕切板の上面に形成することができる。
【００１２】
この発明の態様として、前記球抜きガイドレールは、傾斜通路の傾斜方向に沿う側壁に形成することができる。
【発明の効果】
【００１３】
この発明によれば、球抜き作業に手間がかからず、また球抜き開始時や復帰時操作をワンタッチで正確に実行できる。従って、その操作手順も自動化して間違いもなくなるので係員作業の負担が小さくなり、球抜時の作業効率が向上する。また、球抜き動作を安定して実行させる球抜きタイミングを確保できるので信頼性の高い球抜きを実行できる。
【実施例１】
【００１４】
この発明の一実施例を以下図面に基づいて説明する。  
図１はパチンコ機のパチンコ台１１Ａの背面側上部に装備される球払出機１１を示す。この球払出機１１は、図２にも示すように、上流側の貯留タンク１２と下流側の球払出装置１３とを一体化して構成され、これらはパチンコ台１１Ａの一方の台端側に横長に設置した大きな貯留タンク１２の他方の台端側に延びる端部に小さな球払出装置１３を連結した単体構成をとっている。
【００１５】
上述の貯留タンク１２は、図３に示すように、上面を開放した先細の凹形状を有し、この上面開放部に対して上方の図示しない補給機構から球が補給され、ここで多数個の球を貯留する。この貯留タンク１２に貯留された球は自重により転動して上流側から下流側へと流下し、該流下した球を下流側に配設された球払出装置１３へと導くように構成している。
【００１６】
この場合、球を上流側から下流側に円滑に通過させるために球払出装置１３の前段には整列通路１４を形成している。この整列通路１４は、図４に示すように、貯留タンク１２と一体に構成され、この貯留タンク１２の先端部に細長い整列通路１４を突出させて備えている。
【００１７】
ところで、上流側の貯留タンク１２内のタンク底面から下流側の球払出装置１３の球を払出す底面にかけては、同一傾斜方向に緩やかに傾斜させて直進する長い同一傾斜通路Ｌを設けている。
【００１８】
この同一傾斜通路Ｌは、貯留タンク１２と整列通路１４と球払出装置１３との順に球Ｐを転動させて通過させる各通路の底面を、同一傾斜方向の緩やかな傾斜角度に設定して接続した通路である。このため、球が自重により上流側から下流側へと緩やかに転動する。
【００１９】
またこの場合は、同一傾斜方向に直進する通路であるため、球流下時の落差や方向変換がなくなり、球の流下に適した滑らかな直進通路となり、球は同一傾斜方向に直進移動しながら流下する。
【００２０】
この場合、同一傾斜通路Ｌの傾斜角度が小さければ、傾きが緩いので球の転動速度が遅くなり、下流側への球の供給が滞りやすくなる。これに対し、同一傾斜通路Ｌの傾斜角度が大きいと、傾きが急になるので下流側へ連なって流下する球の重力による負荷が増大する。このようなことから同一傾斜通路Ｌの傾斜角度は、球の円滑な流れが得られる５〜８度程度の緩やかな傾斜角度が適している。このため、ここを転動する球は速度差が少なくなり、個々の球は安定して流下する。
【００２１】
ことに、同一傾斜通路Ｌは、斜め下向きに長く直進する直線の通路であることから縦(高さ)方向よりも横方向に長く延びることになる。このため、同一傾斜通路Ｌは高さ方向の占有場所が少なくて済み、パチンコ台１１Ａの背面側中央部のスペースを広くとれるコンパクトな取付けが可能になる。
【００２２】
上述の球払出機１１の３要素である貯留タンク１２と整列通路１４と球払出装置１３とについては、これらを横長に保持板１５で保持して一体化してなる水平払出しユニット１６として設けている。
【００２３】
この水平払出しユニット１６の保持板１５は、パチンコ台１１Ａの幅長さよりも短い横長で平板状を有し、この保持板１５の一片面に、整列通路１４を備えた貯留タンク１２と球払出装置１３とを横長に一体に取付けた状態で、他片面をパチンコ台背面側に取付けている。また、この場合は１枚の保持板１５を介して取付けるため部品点数が少なくなり、貯留タンク１２と球払出装置１３との取付けが簡単化する。さらに、パチンコ台１１Ａの背面側から見て、保持板１５に取付けられている貯留タンク１２と球払出装置１３とが露出しているため、これらに対しては係員による保守点検が容易になる。
【００２４】
また、貯留タンク１２と整列通路１４と球払出装置１３とは、横長の直列に連設した一体物の水平払出しユニット１６として単品で扱うことができるため、パチンコ台１１Ａへの組付け作業が容易になる。
【００２５】
さらに、この水平払出しユニット１６は横方向に向けて長い緩やかな同一傾斜通路Ｌを有しているため、全長が横方向に長く、直方体状の一体物となり、該通路Ｌの高さ方向を短くできる。このため、縦型のパチンコ台背面側の上部位置に横長にして小さく組込むことができる。このため、パチンコ台背面側に取付けられた水平払出しユニット１６の下方には他部品の取付けスペースが大きく取れる。また、横長に直列させることにより、下流側の球払出装置１３に球を導くときにＳ字形通路のように通路を湾曲させたり、折り返えさせたりせずに済み、直線的に設けることができる。このため、全通路長さを短縮して小型化できる。
【００２６】
さらに、水平払出しユニット１６からの球の払出し口１７を、該ユニット１６の球払出装置１３の通路終端側に位置する一端部の下面に設けて、該払出し口１７より球を下方に払出すように構成している。このため、該ユニット１６の側方のスペースを十分に活用できる。この払出し口１７に、球降下通路１８(図１参照)を接続して、これより払出された球を下方の図示しないパチンコ台前面の受皿へと払出す。
【００２７】
上述の同一傾斜通路Ｌの上流側に位置する貯留タンク１２の底面には、球有無検知スイッチＳＷを配設して、該タンク１２内での球の収容状態を検知している。この貯留タンク１２の下流側先端部には、該タンク１２に貯留された積層状態の球を少しずつ整列させて流下させるように先端部の左右の両壁を先細に絞り、その絞った細長い通路を前方に長く延設し、この延設部分を整列通路１４に設けている。
【００２８】
この整列通路１４は、左右の壁面とその間の仕切板６８とで２列の凹溝を有する通路１４ａ，１４ｂを構成している。この場合、整列通路１４の底部には異物排除用に格子状に開口した排除口１４ｃを開口している。この排除口１４ｃを設けることにより、貯留タンク内に異物が混入しても、その下流側の整列通路１４に移動した時点で、異物は排除口１４ｃより落下して排除される。このため、常に球Ｐのみを通過させるようにして異物の混入による球詰りを回避している。
【００２９】
上述の２列の通路１４ａ，１４ｂを持つ整列通路１４と、該整列通路１４の上方空間部に対設される後述する重なり制限ローラ１９とで、ここに未整列の不規則に導かれた球を２列に整列させる。
【００３０】
上述の重なり制限ローラ１９は、整列通路１４の上方に球の重なりを崩して球を整列させる整列部２０として対設したものである。この整列部２０は、通路方向に直交する片持ち支持軸２１を傾動支点に通路方向に回動許容し、該軸２１の下部に回転自由な重なり制限ローラ１９を吊支している。この重なり制限ローラ１９を備えることにより、球を貯留タンク１２から下流側の整列通路１４を介して球払出装置１３へと受渡す場合の球の重なりを崩して球が集積状態に流下するときの過負荷を抑制することができ、球の受渡しに適した流下ガイド作用が得られる。上述した重なり制限ローラ１９は回転自由に軸支して設けるだけでもよく、球の崩し力を高めるために重なり制限ローラ１９に回転力を伝達させて回転駆動するように構成することもできる。
【００３１】
そして、２列に整列された球は、その下流側に位置する球払出装置１３へと２列のまま導かれる。この場合、整列通路１４の先端部１４ｄは球払出装置１３の位置まで延びており、上流側の貯留タンク１２と下流側の球払出装置１３とは整列通路１４を介して直線的に同一傾斜通路Ｌにて接続されている。また、球払出装置１３は、水平払出しユニット１６から取外して単独で扱えるように着脱許容して設けており、この球払出装置１３の内部の保守点検を容易にしている。また、整列通路１４の先端部１４ｄ側の仕切板６８には、後述する球抜きガイドレバー６０を摺動ガイドする凹状の球抜きガイドレール６２を設けている。
【００３２】
上述の貯留タンク１２は、貯留した多数個の球Ｐを、自重により転動させて下流側の球流下口１２ａへと導くようにしており、この球流下口１２ａに向けてタンク側面の幅方向を次第に幅狭に絞った逆ハの字形の絞り部を設けている。
【００３３】
また、この貯留タンク１２の下流側上部には天板２２を備えている。この天板２２は、整列通路１４と球払出装置１３の上面を覆う長さを有する平板によって構成している。この天板２２の上流側の端部には、貯留タンク１２の下流側に対応し、該貯留タンクの上方空間部から真下に臨んで、積層された状態で重なり移動する球Ｐの上層部を受止める受止め片(図２参照)２３を垂設している。
【００３４】
この受止め片２３を設けることによって、貯留タンク１２内で山積み状態にある球Ｐの上層部の流れを阻止する。このため、下部層の球Ｐだけを流下させることができ、これ以降は流下する球数の割合を減らして下流側に供給することができる。これにより、流下される球は下流側への球圧が軽減された流れになり、貯留タンク１２から整列通路１４側へと流下される球Ｐの供給に適した円滑な流れを確保できる。
【００３５】
また、天板２２を設けたことにより、貯留タンク１２に供給された球Ｐが仮に勢いよく飛び跳ねて貯留タンク１２から飛び出し、該球Ｐが整列通路１４や球払出装置１３に至っても天板２２で遮って、整列通路１４や球払出装置１３に飛び込まなくなるので球詰りや誤動作を誘起させる恐れがなくなる。
【００３６】
次に、球を払出し動作する球払出装置１３について説明する。  
この球払出装置１３は送り部２４と検出部２５とから構成され、上流側の貯留タンク１２と整列通路１４に続く、その下流側の同一傾斜通路Ｌに沿って前記送り部２４と検出部２５とをこの順に有している。
【００３７】
上述の送り部２４は、同一傾斜通路Ｌの終端部上面にスプロケット２６を対設し、このスプロケット２６と同一傾斜通路Ｌとの間に導いた球Ｐを払出し回転方向に１個ずつ連続的に送り出すものである。
【００３８】
また、上述のスプロケット２６と、その下方の同一傾斜通路Ｌとの上下間に導かれた球Ｐはスプロケット２６の回転に伴って１個ずつ送り動作される。このため、連続的に供給される複数個の球Ｐは途切れることなく連続的に払出される。
【００３９】
このスプロケット２６は、外周面に球送りに適した半円状の凹部と凸部(爪部)とを周方向に交互に有している。そして、図示しない払出しモータの駆動力により、スプロケット２６を払出しに適した一定速度に回転させる。これにより、ここに導かれた球Ｐを該スプロケット２６の回転に伴って１個ずつ爪部で仕切り、凹部で保持しながら個別送りする。
【００４０】
上述の検出部２５は、払出された球Ｐを計数する２列の通路に対応する２個の計数センサＳを設けたものであり、例えば近接センサを同一傾斜通路Ｌの終端位置近くに配設して構成する。そして、球Ｐが同一傾斜通路Ｌを通って払出されたとき、通過した払出し直後の球Ｐを計数センサＳが計数する。
【００４１】
さらに、球払出装置１３の直前には、同一傾斜通路Ｌの底面とその上方の対向面間で球Ｐの重なりを制限する逆への字形の平板状の重なり防止カバー２７を該同一傾斜通路Ｌの上方に対設している。この重なり防止カバー２７によって球Ｐの重なりを防止して、スプロケット２６の直前での球Ｐの整列を完全にしている。
【００４２】
また、球払出装置１３の直前の位置には、球Ｐの流れを止めることができる球通過規制レバー２８を配設している。この球通過規制レバー２８は、図５に示すように、後述する駆動ユニットＵ２の側壁に突出する支軸２９に該球通過規制レバー２８の上端部を軸支して設けている。この支軸２９を回動支点に該レバー２８の下端部を上下位置に回動許容して設け、上動退避位置に移動させている場合は同一傾斜通路Ｌでの規制がないため球Ｐの通過を許容し、下動させた場合には該レバー２８の下端部が同一傾斜通路Ｌに直交して該同一傾斜通路Ｌを閉鎖し、球Ｐの通過を規制して、球払出装置１３への球Ｐの供給を停止する。
【００４３】
この球通過規制レバー２８は、並列する整列通路１４の手前側の通路１４ａと奥側の通路１４ｂとに別々に対応するように該レバー２８の先端部が二股に分かれていて、さらに流下方向に段違いにずらして互いの通路１４ａ，１４ｂの球規制位置を流下方向にずらした形状になっている。これにより、並列した通路であっても連続した球Ｐと球Ｐの間に手前側の通路１４ａと奥側の通路１４ｂとのそれぞれに球通過規制レバー２８の先端部が滑らかに入り込むようにするためである。
【００４４】
さらに、球通過規制レバー２８は上端部に扇形部を有し、この扇形部に、該レバー２８を上向きに傾動させたときに弾性変位して該レバー２８を上動退避位置に位置決めするための下部弾性係止片３０を設けている。そして、この下部弾性係止片３０が駆動ユニットＵ２の側壁に突出する係合ピン３１に係止対応したとき、該球通過規制レバー２８を上動退避位置にて弾性保持する。これにより、球Ｐの通過が許容されて球払出装置１３へと球Ｐが連続的に供給される。
【００４５】
また、球通過規制レバー２８の扇形部分には、該レバー２８を下向きに傾動させたときに下動規制位置で位置決めするための上部係止片３２を設け、この上部係止片３２が前記係合ピン３１に係止対応したとき、該上部係止片３２は球通過規制レバー２８を下動規制位置にて保持する。この場合は、該レバー２８の下端部が同一傾斜通路Ｌを遮って閉鎖することにより球Ｐの通過を規制する。このように、球通過規制レバー２８を上動退避位置か下動規制位置かの何れかに傾動させて、球Ｐの流れを開放または停止させることができる。
【００４６】
この球通過規制レバー２８については、球詰りなどで球払出装置１３を取外す際に、球Ｐの流下規制がひつようになる場合に使用し、球Ｐの流下規制が必要のない場合は該球通過規制レバー２８を上動退避させて、球払出装置１３への球Ｐの供給を停止させないようにしている。
【００４７】
さらに、球通過規制レバー２８の直前には、球抜き操作時に球Ｐの排出を案内する球抜きガイドレバー６０を配設している。この球抜きガイドレバー６０は、図６及び図７に示すように、両側面に支軸６１を突設し、該支軸６１を重なり防止カバー２７の軸支孔６９に回転自由に軸支させて取付けている。さらに、該球抜きガイドレバー６０の上流側端部には摺動ガイド用の摺動突片６６を突設し、下流側端部には球抜き方向にガイドするレバー突片６７を突設している。
【００４８】
前記摺動突片６６は、球抜きガイドレバー６０が後述する球払出装置１３と共に、下流側にスライド動作することに応じて傾動する姿勢をガイドし、球抜きガイド位置から退避位置までの該レバー６０の姿勢を終始ガイドする役目を有している。そして、図８に示すように、この摺動突片６６を摺動ガイドする位置を貯留タンク１２の仕切板６８上部の稜線に設定し、この稜線の形状を球抜きガイドレール６２として凹凸形成して設けている。ここに該摺動突片６６がカムのごとく接触対応してガイドされる。
【００４９】
この球抜きガイドレバー６０は、通常、図８(Ａ)に示すように、摺動突片６６が球抜きガイドレール６２の凹部の深い位置に接触対応した待機位置としての第１対応位置Ｐ１で待機している。その後、該球抜きガイドレバー６０がスライド動作を受けて下流側にスライドしたときに、図８(Ｂ)に示すように、摺動突片６６が球抜きガイドレール６２の凹部の浅い位置に接触対応したガイド始動位置としての第２対応位置Ｐ２に移行する。最後に、図８(Ｃ)に示すように、摺動突片６６が球抜きガイドレール６２の凹部から出てレバー突片６７が下流側に傾き、該レバー突片６７が球抜きガイド位置に移動した第３対応位置Ｐ３に至る。
【００５０】
前記レバー突片６７は、２列の整列通路１４に対応させて並列に突出されており、前記摺動突片６６の第１対応位置Ｐ１から第３対応位置Ｐ３までの動きに追従して移動することになり、該レバー突片６７は球抜き待機位置と球抜きガイド位置とに切換えられる。
【００５１】
ところで、この球払出機１１には、図９に示すように、貯留タンク１２及び同一傾斜通路Ｌに存在している全ての球Ｐを球抜き回収して、球払出機１１を空にするための球抜き機構７１を備えている。この球抜き機構７１は、球払出装置１３を同一傾斜通路Ｌの傾斜方向にスライドさせるスライド機構７２(図１０〜図１２参照)と、このスライド機構７２を係員がスライド操作させるスライド操作部７３(図１３〜図１５参照)とから構成される。
【００５２】
この球抜き機構７１によって球払出装置１３を下流方向にスライドさせたとき、該球払出装置１３の通路底面とその上流側の同一傾斜通路Ｌの底面との間に球抜き開口部７４を形成して、同一傾斜通路Ｌから球抜き通路７５に球Ｐを真下に落下させる。そして、この球抜き開口部７４の下方に接続される球抜き通路７５を介して球抜きするように設けている。
【００５３】
前記スライド機構７２は、図１０に示すように、払出しユニットＵ１と駆動ユニットＵ２との両ユニットＵ１，Ｕ２を左右に連結して一体化した球払出装置１３を球払出機１１の長手(傾斜通路)方向にスライド許容して設けたものである。
【００５４】
このスライドに際しては、図１１及び図１２に示すように、保持板１５の内壁面に突設するガイド突起７６に、駆動ユニットＵ２に延設したガイドレール７７を係合させて球払出装置１３を球払出機１１の長手方向にスライドガイド可能に支持している。
【００５５】
このガイドレール７７は、図１１に示すように、スライド方向に沿って開口した直列する両側の長孔７８に一対のガイド突起７６をそれぞれ係合させることにより安定してスライドガイドされる。そして、長孔７８の開口長さがほぼスライド長さに相当し、この長孔７８の一端にガイド突起７６が当接してスライド規制される。
【００５６】
この球払出装置１３はガイドレール７７の側面に突設した係止突起７９（図１２参照）と、保持板１５の内壁面に突設した係止突起８０（図１１参照）との間に張設されたコイルバネ８１の引張り作用によって球抜き開口部７４を開口する方向に付勢している。通常、このコイルバネ８１は球抜き開口部７４を閉じた状態から開口する方向に付勢作用を働かせた状態に支持されている。
【００５７】
このときのスライド位置の位置規制及び位置規制解除は、図１３〜図１５に示すように、スライド操作部７３としてのツマミ部８２を持つ連結ピン８３と、球払出し位置でのスライド規制を解除するスライド解除機構８４とを組合せて実行される。
【００５８】
前記連結ピン８３は、図１３に示すように、通路と直交する方向に天板２２の下面に軸支され、該連結ピン８３に軸着されたバネストッパ８５と天板側壁２２ａとの間に圧縮された状態に介在されているロックバネ６３の軸方向に付勢力によって、該連結ピン８３の先端部（内端部）６４は球払出装置１３の一方の駆動ユニットＵ２の側壁穴６５に挿入されている。この連結ピン８３を挿入させた球払出装置１３の位置決め作用によって、該球払出装置１３を払出状態の位置で保持している。この連結ピン８３の外端部は、指でつまんで引くことができるツマミ部８２が突出した形となっており、容易に引き出し操作可能となっている。そして、このツマミ部８２を引いて連結ピン８３の先端部６４が駆動ユニットＵ２の側壁穴６５より外れたとき、該駆動ユニットＵ２を備えた球払出装置１３はスライドが許可される。
【００５９】
次に、球抜きを行う際の手順及び球抜き処理動作について説明する。  
先ず、係員は連結ピン８３のツマミ部８２を引く。これにより、連結ピン８３の先端部６４が駆動ユニットＵ２の側壁穴６５から抜ける。このとき、ガイドレール７７を介してコイルバネ８１により付勢されている駆動ユニットＵ２が下流側の球抜き位置までスライドすることで、図１６(Ａ)及び図１６(Ｂ)に示すように、貯留タンク１２と球払出装置１３との通路下面間に球抜き開口部７４が開口される。
【００６０】
この駆動ユニットＵ２のスライドに伴って、球抜きガイドレバー６０が仕切板６８の球抜きガイドレール６２に沿って流下方向に変位することで、球抜きガイドレバー６０のレバー突片６７が下降して球Ｐと球Ｐの間に入り込み、球抜き開口部７４から球抜き通路７５へと球Ｐを流下案内する球抜きガイドとなる。ここで、図１６(Ｃ)に示すように、駆動ユニットＵ２がスライドしている途中（球抜き開口部７４が開口し始めて）から球抜きガイドレバー先端のレバー突片６７の変位（下降）が始まることで、球Ｐが球抜き通路７５に流下し、それによって球Ｐと球Ｐの間に隙間ができた所へ球抜きガイドレバー６０のレバー突片６７が滑らかに下降して球Ｐと球Ｐの間に入り込むことが可能になる。
【００６１】
この場合、球抜きガイドレバー６０は、球払出装置１３のスライドする動きに連動して、球抜き待機位置から球抜きガイド位置へと移動する動きを、球抜きガイドレール６２により任意の向きに摺動させながらガイドさせることができる。このため、球抜きガイドレバー６０を球抜きに適したガイド位置と退避位置とに容易に設定することができる。
【００６２】
さらに、球払出装置１３のスライドする動きに連動して開口される球抜き開口部７４の開口タイミングに、該球抜きガイドレバー６０が球抜き開口部７４の球抜きガイド位置へと移動する移動タイミングを、球抜きガイドレール６２によって一致させることができる。よって、球抜き開口部７４が開口すると同時に、球抜きガイドレバー６０は球抜きガイド位置への移動が完了し、正確で信頼性の高い球抜き初期ガイド条件を満たすことができ、信頼性の高い安定した球抜き動作を実行することができる。ことに、ツマミ部８２を引くことに連動して球抜き動作の全てを連動させるというワンタッチによる球抜きを実行できる。従って、球抜き操作する係員は、ツマミ部８２を引くだけのワンタッチで球抜きを開始させることができる。
【００６３】
そして、球払出機１１での全ての球Ｐの回収を終えると、係員は球払出装置１３を掴んでスライド前の位置に押し戻すように逆向きにスライドさせれば、球払出装置１３は再び球払出し位置に戻り、このとき連結ピン８３は駆動ユニットＵ２の側壁穴６５に入り込み、位置規制されると同時に球抜き開口部７４が閉じられる。この球抜き開口部７４が閉じられると同時に球抜きガイドレバー６０が仕切片６８の球抜きガイドレール６２に沿って上方の退避位置に戻る。
【００６４】
また、球抜き終了後に球払出装置１３を元の位置に戻す場合、係員が該球払出装置１３を逆向きにスライドさせて押し戻すだけのワンタッチで球払出機１１を正規の球払出状態に復帰させることができる。この場合も、球払出装置１３の逆向きのスライドする動きに連動して、球抜きガイドレバー６０の退避動作と球抜き開口部７４の閉動作がそれぞれ連動する。
【００６５】
よって、球抜きガイドレバー６０は球抜きガイドレール６２に追従して先に上動退避し始め、続いて球抜き開口部７４が閉動作し始めるので、復帰順序は自動化されて間違うことがなくなる。その後、同一傾斜通路Ｌは再び開放されて球Ｐが流れ、その下流側の球払出装置１３に球Ｐが供給されて、次の球Ｐの払出しに備えられる。
【００６６】
上述の実施例では球抜きガイドレバー６０を摺動ガイドする手段として、該球抜きガイドレバー６０の摺動突片６６と、仕切板６８の球抜きガイドレール６２とを接触対応させて摺動ガイドする例を示したが、これに限らず、その他の摺動ガイド構造を用いても構成することができる。
【００６７】
例えば、球抜きガイドレバーの側方をガイドして構成するようにしてもよい。その一例として図１７に示すように、球抜きガイドレバー１７１の流下方向と直交する片側面に摺動突片１７２を突設し、該摺動突片１７２と対応する側壁１７３の開口した上面に該摺動突片１７２を摺動ガイドさせる球抜きガイドレール１７４を形成し、この球抜きガイドレール１７４に該摺動突片１７２を接触対応させて該球抜きガイドレバー１７１を任意のガイド方向に摺動自在に設けることができる。このような摺動ガイド構造を備えても、球払出装置をスライドさせたときのスライド動作に連動して球抜き動作を得ることができる。
【００６８】
さらに、他の例として図１８に示すように、球抜きガイドレバー１８１の片側もしくは両側に摺動ガイド用の支軸１８２を突設し、該支軸１８２と対応する側壁１８３に該支軸１８２を摺動ガイドさせる方向の摺動軌跡を持たせたレール孔１８４を開口し、このレール孔１８４に支軸１８２を係合させて該球抜きガイドレバー１８１を任意のガイド方向に摺動自在に設けることができる。このような摺動ガイド構造を備えても、球払出装置をスライドさせたときのスライド動作に連動して球抜き動作を得ることができる。
【００６９】
この発明の構成と、上述の実施例の構成との対応において、
この発明の回転体は、実施例のスプロケット２６に対応するも、この発明は上述の実施例の構成に限定されるものではなく、請求項に記載される技術思想に基づいて応用することができる。
【図面の簡単な説明】
【００７０】
【図１】球払出機を備えたパチンコ台の要部背面図。
【図２】球払出機を示す縦断面図。
【図３】球払出機を示す外観斜視図。
【図４】貯留タンク内での球の流れを示す斜視図。
【図５】球払出機の球払出し状態を示す縦断面図。
【図６】球払出機の要部斜視図。
【図７】球払出機の要部分解斜視図。
【図８】球払出機の球抜き状態を示す説明図。
【図９】球払出装置のスライド後の状態を示す要部縦断面図。
【図１０】球払出装置とスライド機構との関係を示す斜視図。
【図１１】コイルバネとガイドレールとの係止状態を示す拡大斜視図。
【図１２】コイルバネと保持板との係止状態を示す要部拡大斜視図。
【図１３】スライド操作部のスライド規制状態を示す要部斜視図。
【図１４】スライド操作部の要部分解斜視図。
【図１５】スライド操作部の要部縦断面図。
【図１６】球払出機の球抜き時の切換え状態を示す説明図。
【図１７】球抜きガイドレバーの他の摺動ガイド構造を示す要部斜視図。
【図１８】球抜きガイドレバーのさらに他の摺動ガイド構造を示す説明図。
【符号の説明】
【００７１】
１１…球払出機
１３…球払出装置
６０，１７１，１８１…球抜きガイドレバー
６２，１７４…球抜きガイドレール
７１…球抜き機構
７２…スライド機構
７３…スライド操作部
７４…球抜き開口部
１８４…レール孔
【図１】
2008022981.tif 000003
【図２】
2008022981.tif 000004
【図３】
2008022981.tif 000005
【図４】
2008022981.tif 000006
【図５】
2008022981.tif 000007
【図６】
2008022981.tif 000008
【図７】
2008022981.tif 000009
【図８】
2008022981.tif 000010
【図９】
2008022981.tif 000011
【図１０】
2008022981.tif 000012
【図１１】
2008022981.tif 000013
【図１２】
2008022981.tif 000014
【図１３】
2008022981.tif 000015
【図１４】
2008022981.tif 000016
【図１５】
2008022981.tif 000017
【図１６】
2008022981.tif 000018
【図１７】
2008022981.tif 000019
【図１８】
2008022981.tif 000020